(57)【要約】【課題】  本発明は、ディスクから情報を読み取る記録情報読出手段を常にＯＦＦ状態にして短い曲のリピート再生を行うことができ、短い曲のリピート再生を行う場合には、電力の消費を抑制でき、電池の消耗が抑えることができる情報再生装置および情報再生方法を提供することを課題とする。【解決手段】  操作部１３から１曲リピートモードの選択入力が行われると、コントロールマイコン９は、ＴＯＣ情報を参照することで、メモリ１０に希望曲の音声データの全てが記憶可能か否かを判別する。希望曲の音声データの全てがメモリ１０に記憶可能である場合には、電源遮断部１２は、希望曲の音声データの全てがメモリ１０に記憶された後、記録情報読出手段への電源供給を遮断して、コントロールマイコン９は、記録情報読出手段がＯＦＦ状態で、信号処理回路５を制御してメモリ１０に記憶された音声データをリピート再生させる。【選択図】        図１
2005149601.tif 000002
【特許請求の範囲】
【請求項１】
記録媒体に時間軸圧縮されて記録されている音声データを読み出す記録情報読出手段と、該記録情報読出手段によって読み出された前記音声データを一時記憶する記憶手段と、該記憶手段に記憶されている前記音声データを時間軸伸長して圧縮を解いて音声信号を再生する信号処理手段とを有する情報再生装置であって、
選曲された希望曲を繰り返し再生する１曲リピートモード時に、前記記憶手段に前記希望曲の前記音声データの全てが記憶可能か否かを判別する記憶容量判別手段と、
該記憶容量判別手段によって、前記記憶手段に前記希望曲の前記音声データの全てが記憶可能であると判別された場合には、前記記憶手段に前記希望曲の前記音声データの全てが記憶された後に、前記記録情報読出手段への電源供給を遮断する電源遮断手段とを具備し、
前記信号処理手段は、前記記憶手段に記憶された前記希望曲の前記音声データをリピート再生することを特徴とする情報再生装置。
【請求項２】
前記記憶容量判別手段は、前記記録媒体に記録されているＴＯＣ情報を参照することで、前記記憶手段に前記希望曲の前記音声データの全てが記憶可能か否かを判別することを特徴とする請求項１記載の情報再生装置。
【請求項３】
前記記憶容量判別手段は、エンドアドレスに記録されていた前記音声データが前記記憶手段に書き込まれた際に、スタートアドレスに記録されていた前記音声データが前記記憶手段に記憶された状態か否かを判別することにより、前記記憶手段に前記希望曲の前記音声データの全てが記憶可能か否かを判別することを特徴とする請求項１記載の情報再生装置。
【請求項４】
記録媒体に時間軸圧縮されて記録されている音声データを記録情報読出手段によって読み出し、該読み出した前記音声データを記憶手段に一時記憶し、該記憶手段に記憶している前記音声データを時間軸伸長して圧縮を解いて音声信号を再生する情報再生方法であって、
選曲された希望曲を繰り返し再生する１曲リピートモード時に、前記記憶手段に前記希望曲の前記音声データの全てが記憶可能か否かを判別し、
前記記憶手段に前記希望曲の前記音声データの全てが記憶可能であると判別した場合には、前記記憶手段に前記希望曲の前記音声データの全てを記憶した後に、前記記録情報読出手段への電源供給を遮断し、
前記記憶手段に記憶している前記希望曲の前記音声データをリピート再生することを特徴とする情報再生方法。
【発明の詳細な説明】
【技術分野】
【０００１】
本発明は、音声データ等の情報を時間軸圧縮してディジタル記録しているミニディスク（ＭＤ）等の記録媒体より情報を読み出して時間軸伸長し、再生を行うミニディスク再生装置（以下、ＭＤ再生装置と称する）等の情報再生装置および情報再生方法に関し、特にＭＤに記録されている複数曲の中から選曲された１曲を繰り返し再生する１曲リピートモードを有する情報再生装置および情報再生方法に関する。
【背景技術】
【０００２】
従来からＭＤ再生装置等の情報再生装置においては、ＭＤに記録されている複数曲を記録順に再生するモード、ダイレクト選曲された任意の希望曲以降を記録順に再生するモード、ＭＤに記録されている複数曲をランダムに再生するモード等の複数の再生モードを選択できるように構成されており、選択可能な複数の再生モードの中には、通常、選曲された任意の希望曲を繰り返し再生する１曲リピートモードが含まれている。
【０００３】
１曲リピートモードを有する情報再生装置において、ディスクから読み出された信号を格納するためのメモリを有し、メモリに信号が書き込まれる速度をメモリから信号を読み出す速度よりも速くし、メモリに信号が書き込まれた後に信号を読み出すことにより、ピックアップの移動に要する時間を見かけ上なくし、待ち時間を大幅に短縮することが提案されている（例えば、特許文献１参照）。
【０００４】
しかしながら、従来技術では、１曲リピートを行う希望曲の長さに関係なく、１曲再生分のデータをリピートするたびに、毎回ディスクから情報を読み取る必要があるため、ディスクから情報を読み取る時に記録情報読出手段をディスク読み取りする毎にＯＮ状態にしており、短い曲のリピート再生を行った場合でも、長い曲のリピート再生を行った場合と同様に電力が消費され、電池の消耗が早くなってしまうという問題点があった。
【特許文献１】特開平９−１９８７８９号公報
【発明の開示】
【発明が解決しようとする課題】
【０００５】
本発明は斯かる問題点を鑑みてなされたものであり、その目的とするところは、ディスクから読み取る情報がメモリに蓄えることができるデータ量であれば、ディスクから情報を読み取る記録情報読出手段を常にＯＦＦ状態にして短い曲のリピート再生を行うことができ、短い曲のリピート再生を行う場合には、電力の消費を抑制でき、電池の消耗が抑えることができる情報再生装置および情報再生方法を提供する点にある。
【課題を解決するための手段】
【０００６】
本発明は上記課題を解決すべく、以下に掲げる構成とした。
本発明の情報再生装置は、記録媒体に時間軸圧縮されて記録されている音声データを読み出す記録情報読出手段と、該記録情報読出手段によって読み出された前記音声データを一時記憶する記憶手段と、該記憶手段に記憶されている前記音声データを時間軸伸長して圧縮を解いて音声信号を再生する信号処理手段とを有する情報再生装置であって、選曲された希望曲を繰り返し再生する１曲リピートモード時に、前記記憶手段に前記希望曲の前記音声データの全てが記憶可能か否かを判別する記憶容量判別手段と、該記憶容量判別手段によって、前記記憶手段に前記希望曲の前記音声データの全てが記憶可能であると判別された場合には、前記記憶手段に前記希望曲の前記音声データの全てが記憶された後に、前記記録情報読出手段への電源供給を遮断する電源遮断手段とを具備し、前記信号処理手段は、前記記憶手段に記憶された前記希望曲の前記音声データをリピート再生することを特徴とする。
【０００７】
さらに、本発明の情報再生装置は、前記記憶容量判別手段は、前記記録媒体に記録されているＴＯＣ情報を参照することで、前記記憶手段に前記希望曲の前記音声データの全てが記憶可能か否かを判別することを特徴とする。
【０００８】
さらに、本発明の情報再生装置は、前記記憶容量判別手段は、エンドアドレスに記録されていた前記音声データが前記記憶手段に書き込まれた際に、スタートアドレスに記録されていた前記音声データが前記記憶手段に記憶された状態か否かを判別することにより、前記記憶手段に前記希望曲の前記音声データの全てが記憶可能か否かを判別することを特徴とする。
【０００９】
また、本発明の情報再生方法は、記録媒体に時間軸圧縮されて記録されている音声データを記録情報読出手段によって読み出し、該読み出した前記音声データを記憶手段に一時記憶し、該記憶手段に記憶している前記音声データを時間軸伸長して圧縮を解いて音声信号を再生する情報再生方法であって、選曲された希望曲を繰り返し再生する１曲リピートモード時に、前記記憶手段に前記希望曲の前記音声データの全てが記憶可能か否かを判別し、前記記憶手段に前記希望曲の前記音声データの全てが記憶可能であると判別した場合には、前記記憶手段に前記希望曲の前記音声データの全てを記憶した後に、前記記録情報読出手段への電源供給を遮断し、前記記憶手段に記憶している前記希望曲の前記音声データをリピート再生することを特徴とする。
【発明の効果】
【００１０】
本発明の情報再生装置および情報再生方法は、１曲リピートモード時に、希望曲の音声データの全てがメモリに記憶可能である場合には、メモリに希望曲の音声データの全てを記憶した後に、記録情報読出手段への電源供給を遮断し、メモリに記憶されている音声データをリピート再生させるように構成することにより、ミニディスクから情報を読み取る記録情報読出手段がＯＦＦ状態で、短い曲のリピート再生を行うことができ、短い曲のリピート再生を行う場合には、電力の消費を抑制でき、電池の消耗を抑えることができるという効果を奏する。
【発明を実施するための最良の形態】
【００１１】
以下、本発明の実施の形態を図面に基づいて詳細に説明する。
【００１２】
図１は、本発明に係る情報再生装置の実施の形態の構成を示すブロック図である。
【００１３】
本実施の形態は、図１を参照すると、時間軸圧縮された音声データ（情報）がディジタル記録されているミニディスク１から音声データを読み出し、ヘッドホン２より音声出力するＭＤ再生装置等の情報再生装置であり、ピックアップ３と、ＲＦＩＣ４と、信号処理回路５と、ドライバ回路６と、スピンドルモータ７と、送りモータ８と、システムコントロール用マイクロコンピュータであるコントロールマイコン９と、ショック・プルーフ・メモリとして機能するメモリ１０と、オーディオアンプ１１と、電源遮断部１２と、操作部１３とで構成されている。
【００１４】
ピックアップ３と、ＲＦＩＣ４と、ドライバ回路６と、スピンドルモータ７と、送りモータ８とは、ミニディスク１から音声データを読み出す記録情報読出手段であり、再生時、ミニディスク１は、ドライバ回路６で駆動されるスピンドルモータ７により回転駆動されると共に、ドライバ回路６で駆動される送りモータ８により、ピックアップ３がミニディスク１の半径方向に送られ、ピックアップ３によってミニディスク１に記録されている音声データが読み出される。ピックアップ３により読み出された信号は、ＲＦＩＣ４において増幅され、信号処理回路５に送られる。
【００１５】
また、ＲＦＩＣ４は、ピックアップ３より読み出された信号より、フォーカス・エラー信号やトラッキング・エラー信号等のサーボ制御信号を生成し、生成したサーボ制御信号と、システムコントロール用マイクロコンピュータ（以下、コントロールマイコンと称する）９からのコントロール信号により、フォーカス、トラッキングおよびスピンのサーボをかけるように、ドライバ回路６をコントロールし、ドライバ回路６は、ＲＦＩＣ４からのコントロール信号により、ピックアップ３、送りモータ８およびスピンドルモータ７を駆動する。
【００１６】
信号処理回路５は、ＲＦＩＣ４で増幅された信号を復調し、さらに誤り訂正等の信号処理を行い、信号処理を行った信号をメモリ１０に順次書き込む。なお、本実施の形態では、メモリ１０として１６ＭｂｉｔのＤ−ＲＡＭを使用するものとする。
【００１７】
また、信号処理回路５は、メモリ読出手段としてメモリ１０に記憶された音声データを読み出し、所定のフォーマットに従って時間軸伸長して圧縮を解く。なお、本実施の形態では、信号処理回路５は、ディジタル信号をアナログ変換して、音声信号を生成する機能まで含むものとする。生成された音声信号は、オーティオアンプ１１を通って、ヘッドホン２より音声出力される。
【００１８】
コントロールマイコン９は、メモリ１０内の音声データが容量一杯になった場合、ａ）その後所定時間、ピックアップ３によりミニディスク１から読み出された音声データをメモリ１０に記憶させないように、信号処理回路５を制御したり、ｂ）ミニディスク１からの音声データの読み出しを中止させて音声データをメモリ１０に記憶させないようにして、メモリ１０に所定量の空き領域が生じると、ピックアップ３を容量が一杯になったとき音声データの読み出しを中止した位置のトラックにジャンプさせ、ピックアップ３によりディスク１から読み出された音声データをメモリ１０へ再度記憶させるように、信号処理回路５を制御する。この制御により、メモリ１０内には、常にショック・プルーフ用データが確保される。
【００１９】
また、コントロールマイコン９は、ミニディスク１が装填されると、ピックアップ３によりミニディスク１のＴＯＣ（Table Of Contents）領域に記録されているＴＯＣ情報を読み出して記憶しておき、操作部１３の操作に基づいて曲送り、曲戻し、選曲等を実行する際には、ＴＯＣ情報を参照することで、ピックアップ３を所望曲のスタートアドレスに移動させて所望曲の音声データを読み出させる。
【００２０】
さらに、コントロールマイコン９は、希望曲が選曲されて１曲リピートモードが選択入力されている場合には、ＴＯＣ情報を参照することで希望曲の音声データの全てがメモリ１０に記憶可能か否かを判別し、希望曲の音声データの全てがメモリ１０に記憶可能である場合には、メモリ１０に希望曲の音声データの全てが記憶されると電源遮断信号を電源遮断部１２に出力し、操作部１３によって１曲リピートが解除されると電源復帰信号を電源遮断部１２に出力する。
【００２１】
電源遮断部１２は、コントロールマイコン９から電源遮断信号が入力されると記録情報読出手段、すなわちＲＦＩＣ４およびドライバ回路６への電源供給を遮断させ、ピックアップ３、スピンドルモータ７および送りモータ８の駆動を停止させる。また、電源遮断部１２は、コントロールマイコン９から電源復帰信号が入力されると記録情報読出手段、すなわちＲＦＩＣ４およびドライバ回路６への電源供給を再開させ、ピックアップ３、スピンドルモータ７および送りモータ８を駆動させる。
【００２２】
操作部１３は、ユーザが曲送り、曲戻し、選曲等の指示入力を行う入力手段であり、選曲した任意の希望曲を繰り返し再生する１曲リピートモードを含む複数の再生モードの内のいずれかを選択入力する機能を有している。
【００２３】
次に、本実施の形態の１曲リピート時の動作について図２を参照して詳細に説明する。
図２は、本発明に係る情報再生装置の実施の形態の１曲リピート時の動作を説明するためのフローチャートである。
【００２４】
操作部１３から希望曲の選曲と１曲リピートモードの選択入力が行われると（ステップＡ１）、コントロールマイコン９は、ピックアップ３を希望曲のスタートアドレスに移動させて希望曲の音声データをミニディスク１から読出させて希望曲の再生を開始させると共に（ステップＡ２）、ＴＯＣ情報を参照することで（ステップＡ３）、メモリ１０に希望曲の音声データの全てが記憶可能か否かを判別する（ステップＡ４）。
【００２５】
希望曲の音声データの全てがメモリ１０に記憶可能である場合には、メモリ１０に希望曲の音声データの全てが記憶されたことを検出し（ステップＡ５）、メモリ１０に希望曲の音声データの全てが記憶されると電源遮断信号を電源遮断部１２に出力する（ステップＡ６）。
【００２６】
電源遮断部１２は、コントロールマイコン９から電源遮断信号が入力されると記録情報読出手段、すなわちＲＦＩＣ４およびドライバ回路６への電源供給を遮断してピックアップ３、スピンドルモータ７および送りモータ８の駆動を停止させ、コントロールマイコン９は、記録情報読出手段がＯＦＦ状態で、信号処理回路５を制御してメモリ１０に記憶された音声データをリピート再生させる（ステップＡ７）
【００２７】
例えば、信号処理回路５によって毎秒０.３Ｍｂｉｔの速度で時間軸圧縮を解くように構成されている場合には、本実施の形態の場合、メモリ１０は、１６Ｍｂｉｔであるので、再生時間にして約５３秒分のデータが記憶可能であり、１曲リピートを行う希望曲の長さが５３秒以内であれば、１曲リピート時に記録情報読出手段への電源供給が遮断され、電力の消費を抑制でき、電池の消耗が抑えることができる。
【００２８】
操作部１３から１曲リピートモードの解除入力が行われると（ステップＡ８）、コントロールマイコン９は、電源復帰信号を電源遮断部１２に出力し（ステップＡ９）、電源遮断部１２は、コントロールマイコン９から電源復帰信号が入力されると記録情報読出手段、すなわちＲＦＩＣ４およびドライバ回路６への電源供給を再開してピックアップ３、スピンドルモータ７および送りモータ８を駆動させ、１曲リピートモードを終了する。
【００２９】
希望曲の音声データの全てがメモリ１０に記憶可能でない場合には、コントロールマイコン９は、毎回ミニディスク１から音声データを読み出してリピート再生させ（ステップＡ１０）、操作部１３から１曲リピートモードの解除入力が行われると（ステップＡ１１）、１曲リピートモードを終了する。
【００３０】
以上説明したように、本実施の形態によれば、１曲リピートモード時に、希望曲の音声データの全てがメモリ１０に記憶可能である場合には、メモリ１０に希望曲の音声データの全てを記憶した後に、電源遮断部１２によって記録情報読出手段への電源供給を遮断し、メモリ１０に記憶されている音声データをリピート再生させるように構成することにより、ミニディスク１から情報を読み取る記録情報読出手段がＯＦＦ状態で、短い曲のリピート再生を行うことができ、短い曲のリピート再生を行う場合には、電力の消費を抑制でき、電池の消耗が抑えることができるという効果を奏する。
【００３１】
なお、本実施の形態では、ＴＯＣ情報を参照することで希望曲の音声データの全てがメモリ１０に記憶可能か否かを判別するように構成したが、エンドアドレスに記録されていた音声データがメモリ１０に書き込まれた際に、スタートアドレスに記録されていた音声データがメモリ１０に記憶された状態か否かを判別することにより、希望曲の音声データの全てがメモリ１０に記憶可能か否かを判別するように構成しても良い。
【００３２】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３３】
【図１】本発明に係る情報再生装置の実施の形態の構成を示すブロック図である。
【図２】本発明に係る情報再生装置の実施の形態の１曲リピート時の動作を説明するためのフローチャートである。
【符号の説明】
【００３４】
１  ミニディスク
２  ヘッドホン
３  ピックアップ
４  ＲＦＩＣ
５  信号処理回路
６  ドライバ回路
７  スピンドルモータ
８  送りモータ
９  コントロールマイコン（記憶容量判別手段）
１０  メモリ（記憶手段）
１１  オーディオアンプ
１２  電源遮断部
１３  操作部
【図１】
2005149601.tif 000003
【図２】
2005149601.tif 000004